(57)【要約】【課題】  高機能化に伴って設定項目が増大した場合に、ユーザが設定作業で混乱するのを抑える。【解決手段】  各種の設定項目は複数のステージSTG1〜STG4に分類され、各ステージではＭキースイッチ２０を短押しすることで設定画面が変遷する。各ステージの最終画面はステージ選択メニュー画面であり、このステージ選択メニュー画面で次に進むべきステージを選択することができ、また、設定モードから脱出するエスケープを選択することができる。ステージ選択メニュー画面で所望のステージを選択すると、選択したステージに移行する。【選択図】  図６
2006352558.tif 000002
【特許請求の範囲】
【請求項１】
設定モードのときにユーザのキー操作によって前記各種の設定項目を前記表示部に順次表示させる制御部を備えた光電スイッチであって、
前記設定モード中に前記表示部に表示される前記各種の設定項目が複数のステージにグループ分けされ、各ステージの最後に次に表示すべきステージの選択及び前記設定モードからの脱出を選択することのできるステージ選択メニュー画面を有し、
前記制御部は、前記ステージ選択メニュー画面でユーザがキー操作により選択したステージに移動又は前記設定モードから脱出させることを特徴とする光電スイッチ。
【請求項２】
前記ステージ選択メニュー画面では、該ステージ選択メニュー画面が表示されたステージよりも後段のステージを選択することのできるメニューが表示され、ユーザのキー操作によって前記ステージ選択メニュー画面が表示されたステージよりも後段のステージを選択可能である、請求項１に記載の光電スイッチ。
【請求項３】
前記ステージ選択メニュー画面の先頭メニューが、前記設定モードから脱出することのできるエスケープメニューである、請求項１又は２に記載の光電スイッチ。
【請求項４】
前記ステージ選択メニュー画面の先頭メニューが、前回選択されたステージを選択することのできるメニューである、請求項１又は２に記載の光電スイッチ。
【請求項５】
前記各種の設定項目が、前記表示部に設定可能な複数の選択メニューを表示する設定項目を含み、
前記制御部は、第１のキー操作に応じて前記複数の選択メニューを順方向に、順次、前記表示部に表示し、前記第１のキー操作とは異なる第２のキー操作に応じて前記複数の選択メニューを逆方向に、順次、前記表示部に表示する、請求項１〜４のいずれか一項に記載の光電スイッチ。
【発明の詳細な説明】
【技術分野】
【０００１】
本発明は、光電スイッチに関し、より詳しくは、表示手段を備えた光電スイッチに関する。
【背景技術】
【０００２】
光電スイッチは、製造現場や製品検査工程などで種々の目的のために用いられているが、適用範囲の拡大やより厳しい使用目的に対応するために多機能化及び小型化の傾向にある。
【０００３】
表示部を備えた光電スイッチは、その表示部が、典型的には、４桁の７セグメントで構成されており、特許文献１に開示のように、２つの表示部を横並びに配設した光電スイッチの出現しているが、このような表示部によって表示できる情報は極めて限定的である。
【特許文献１】特開２００２−２７９８７１号公報
【発明の開示】
【発明が解決しようとする課題】
【０００４】
光電スイッチが備える各種の機能に関し、各機能の設定は、ユーザがキースイッチを操作することにより光電スイッチの表示部に情報を表示させながら行われるが、光電スイッチを多機能化した場合には、必然的に設定項目の数が多くなる。このため、所望の設定項目を呼び出すのに必要なキースイッチの操作回数が増大する傾向になる。このことから、設定項目が合理的に表示できるように各種の設定項目を階層化することが行われている。
【０００５】
しかしながら、階層化の手法は、表示手段が大きい場合には所望の設定項目にアクセスするのに好都合な表示方法であると言えるが、一回に表示できる情報量が制限的な光電スイッチの場合には、例えばユーザが設定作業を行っている途中で、今現在、どのレベルの表示が行われているのかが分からなくなる、というような混乱をユーザに与えてしまう虞がある。
【０００６】
そこで、本発明の目的は、高機能化に伴って設定項目が増大した場合に、ユーザが設定作業で混乱するのを抑えることのできる光電スイッチを提供することにある。
【課題を解決するための手段】
【０００７】
かかる技術的課題は、本発明によれば、
設定モードのときにユーザのキー操作によって前記各種の設定項目を前記表示部に順次表示させる制御部を備えた光電スイッチであって、
前記設定モード中に前記表示部に表示される前記各種の設定項目が複数のステージにグループ分けされ、各ステージの最後に次に表示すべきステージの選択及び前記設定モードからの脱出を選択することのできるステージ選択メニュー画面を有し、
前記制御部は、前記ステージ選択メニュー画面でユーザがキー操作により選択したステージに移動又は前記設定モードから脱出させることを特徴とする光電スイッチを提供することにより達成される。
【０００８】
すなわち、本発明は、各種の設定項目の表示を一次元化し、ユーザのキー操作に基づいて一本道を進むように各設定項目を表示すると共に、各種の設定項目が複数のステージにグループ分けされて、各ステージでの設定項目の表示が終わった段階で、次に表示すべきステージを選択又は設定モードから脱出できるエスケープメニューを含むステージ選択メニュー画面を表示するようにしたことを特徴とする。したがって、光電スイッチの多機能化により設定項目が増大したとしても、途中で現れるステージ選択メニュー画面で所望のステージを選択することで、又はエスケープメニューを選択することで、必要でない設定項目を含むステージをスキップして所望の設定項目に素早くアクセスすることができ又は設定モードからいち早く脱出することができる。
【０００９】
本発明が適用される光電スイッチは、一つの表示部を備えた光電スイッチであってよいが、典型的には、特許文献１に記載のように２つの表示部を備えた光電スイッチに適用される。また、前記ステージ選択メニュー画面では、該ステージ選択メニュー画面が表示されたステージよりも後段のステージを選択することのできるメニューが表示され、ユーザのキー操作によって前記ステージ選択メニュー画面が表示されたステージよりも後段のステージを選択可能である。これにより、ユーザはステージ選択メニュー画面で後段の任意のステージを選択して所望のステージにいち早くアクセスすることができるだけでなく、光電スイッチの表示部に表示すべきステージメニューの数を制限的に表示することができるため、これによってもユーザのキー操作の回数を低減することができる。
【００１０】
ステージ選択メニュー画面の先頭メニューは、設定モードから脱出するエスケープメニューであってもよいが、前回選択されたステージを保存しておいて、次回ステージ選択メニュー画面が表示されたときに、前回選択されたステージを先頭に表示するようにしてもよい。これによれば、ユーザが設定変更する頻度に応じた表示態様を形成することによりユーザのニーズに応じた表示態様の下でキー操作の回数を低減することができる。
【発明を実施するための最良の形態】
【００１１】
以下に、添付の図面に基づいて本発明の好ましい実施例を説明する。
図１、図２は、本発明を適用した光電スイッチを示す。図１は光電スイッチの斜視図であり、図２は、その平面図である。図示の光電スイッチ１００は、検出物に光を当ててその反射光を受光する形式のいわゆる反射型光電スイッチである。また、この光電スイッチ１００は、増幅器やＣＰＵなどを組み込んだ本体の内部に発光素子と受光素子を配置した光電スイッチである。
【００１２】
光電スイッチ１００は、幅狭の比較的細長いボックス状のケーシング１１を有し、ケーシング１１の内部には、発光素子１２と受光素子１３（図３参照）とが設けられ、この両素子１２、１３に臨む光ファイバ１４、１５がケーシング１１の一端面から外部に延出している。光電スイッチ１００への電源供給及び出力は、ケーシング１１の他端面から延出するケーブル１６（図１）を通じて行われる。
【００１３】
このケーシング１１の細長い矩形の上面１１ａには、長手方向に横並びに隣接して配置された第１、第２の表示部１７、１８が設けられている。第１、第２の表示部１７、１８は、上面１１ａの幅と実質的に同じ幅を有し、第１、第２の表示部１７、１８は、上面１１ａの長手方向寸法の約半分を占める長手方向長さを有している。第１、第２の表示部１７、１８は、共に、横並びに隣接して配置された４つセクションを有し、各セクションは７セグメントＬＥＤで構成されている。すなわち、第１、第２の表示部１７、１８は一体となって８桁の数値、８つの文字又はこれらの組み合わせをデジタル表示することができ、また、必要であれば合計８個の７セグメントＬＥＤを使ってバー表示することができる。また、各表示部１７、１８で夫々４桁の数値又は４つの文字又はこれらの組み合わせを横並びに表示することができる。第１、第２の表示部１７、１８を構成する７セグメントは、これを１色ＬＥＤで構成してもよく、また、２色ＬＥＤで構成してもよい。また、第１の表示部１７と第２の表示部１８とを異なる色で表示するようにしてもよい。また、第１、第２の表示部１７、１８は、これを一つ又は２つの白黒又はカラー液晶（ＬＣＤ）で構成してもよい。
【００１４】
ケーシング１１の上面１１ａには、また、出力切替ボタン１９、モードボタン（Ｍキースイッチ）２０、スイング式のしきい値調整（上下）スイッチ２１、スライド式のパワーセレクタスイッチ２２、セットキースイッチ２３、動作表示灯２４が設けられている。なお、ケーシング１１の上面１１ａは、光電スイッチ１００を操作使用しないときには、図示を省いた片開き式の透明の蓋蓋によって覆うことができるようになっている。
【００１５】
モード切替スイッチ（Ｍキースイッチ）２０は、これを３秒以上押し続ける（長押し）ことにより、第１、第２の表示部１７、１８の画面の表示モードを切り替えることができ、表示モードとしては、通常の検出動作中の表示モード（運用モード）と、各種の設定を行うための表示モード（設定モード）とを有する。Ｍキースイッチ２０を３秒よりも短い時間押すと（短押し）、各表示モードで、第１、第２の表示部１７、１８の画面を切り替えることができる。
【００１６】
スイング式のしきい値調整（上下）スイッチ２１は、アップ（△）側を押すとしきい値を大きくする方向に調整することができ、ダウン（▽）側を押すとしきい値を小さくする方向に調整することができる。また、この上下スイッチ２１は、設定モード中では、パラメータの選択に用いることができる。
【００１７】
スライド式のパワーセレクタスイッチ２２は、予め設定されている動作モードと、複数種類の動作モードから任意の選択した動作モードとの切替えを行うものである。選択可能な複数の動作モードは受光量の大小に違いがあり、この受光量を増加させるのに、例えば、(i)受光の周期を長く設定してパルス発光のデュティーを小さくする代わりに投光電流を増加させることで投光量を増加させる、(ii)受光した信号を複数回加算することによって受光量を大きくすると共にS/Nも向上させる手法を採用することができる。
【００１８】
(1)ファインモード：このファインモードは、例えばベアリングの刻印の有無を検出するのに適するように受光量が設定されており、微小な刻印の有無による僅かな光量変化を的確に判別することができるという特徴を備えている。
【００１９】
(2)ターボモード：ファインモードよりも実質的に受光量が増大する設定になっており、例えば台紙上のシールの検出するのに適している。
【００２０】
(3)スーパーターボモード：ターボモードよりも更に実質的に受光量が増大する設定になっている。このスーパーターボモードは、例えば発光素子又は発光素子からの光を導くファイバ及び／又は受光素子又は受光素子に光を導くファイバと検出物Ｔとを離間させた状態で検出物Ｔの有無を検出するのに適している。
【００２１】
(4)ウルトラターボモード：スーパーターボモードよりも更に実質的に受光量が増大する設定になっている。このウルトラターボモードは、例えば、スーパーターボモードよりも遠く離れた検出物Ｔの有無を検出する、或いは、埃、汚れなどの多い悪環境下で検出物Ｔを検出する際に用いるのに適している。
【００２２】
(5)ハイスピードモード：ハイスピードモードは、上述した各種の運用モードよりも応答速度を高める設定になっており、比較的早く通過する検出物Ｔを検出するのに適している。
【００２３】
例えば、予め設定されている動作モードが上記(4)のウルトラターボモードであるとすれば、スライド式のパワーセレクタスイッチ２２が第１位置のときには、自動的にウルトラターボモードが設定され、そして、パワーセレクトスイッチ２２を第２位置に切り替えることで、後に説明する設定操作により上記(1)〜(5)からユーザが選択した動作モードが設定される。
【００２４】
セットキースイッチ２３は、しきい値を自動的に設定するのに用いられる。すなわち、検出物Ｔ（図３参照）を検出エリアに配置した状態で、セットキースイッチ２３を押し、次いで、検出エリアから検出物Ｔを取り除いた状態で、セットキースイッチ２３を再び押すと、検出物Ｔが存在しているときの最大受光量と、検出物Ｔを取り除いたときの最小受光量との間の値（典型的には中間値）がしきい値として自動的に設定される。
【００２５】
図３は、光電スイッチ１００の全体概要を示すブロック図である。光電スイッチ１００は、例えば発光ダイオード（ＬＥＤ）などからなる発光素子１２を発光させるための駆動回路３０を有し、また、フォトダイオードなどからなる受光素子１３に接続された受光回路３２と、この受光回路３２からの出力信号をＡ／Ｄ変換するＡ／Ｄ変換器３３と、第１、第２の表示部１７、１８を制御するゲートアレイ又はＣＰＵ３４と、このゲートアレイ又はＣＰＵ３４からの信号を外部に送出する出力回路３５とを有し、先に説明した各種のスイッチ又はボタン１９〜２３を含む操作部３６からの信号はゲートアレイ又はＣＰＵ３４に入力される。
【００２６】
光電スイッチ１００は、既知のように、受光素子１３が獲得した受光量をしきい値と比較し、その大小によって検出物Ｔの有無を検出し、その結果を出力するものである。例えば、受光素子１３が獲得した現在の受光量（現在値）と、検出物Ｔの有無を検出するために設定されているしきい値は、上述した第１、第２の表示部１７、１８に横並びの状態で同時に表示される。現在の受光量を左側の第１表示部１７に表示するか右側の第２表示部１８に表示するかは任意である。
【００２７】
運用モード：
図４は、運用モードでの第１、第２表示部１７、１８の画面の変遷を例示するものである。この画面の変遷は、前述したようにＭキースイッチ２０を短押しすることにより行われる。第１画面では第１表示部１７に「しきい値」が表示され、第２表示部１８に「現在の受光量（現在値）」が表示される。「しきい値」を第２表示部１８に表示し、「現在値」を第１表示部１７に表示する、というように第１、第２の表示部１７、１８に表示する内容を逆にしてもよく、このことは第２画面以降でも同様である。
【００２８】
画面の変遷の順に、表示画面の変遷を説明すると、(1)第１画面：「しきい値」×「現在値」、(2)第２画面：「余裕度（数値）」×「現在値」、(3)第３画面：「余裕度（バー形式）」×「現在値」、(4)第４画面：「スケーリングしきい値」×「スケーリング現在値」、(5)第５画面：「第１ホールド値」×「第２ホールド値」、(6)第６画面：「第１余裕度ホールド値」×「第２余裕度ホールド値」、(7)第７画面：「第１時間幅」×「第２時間幅」、(8)第８画面：「動作モード」×「現在値」である。
【００２９】
第２画面の「余裕度（数値）」とは、余裕度（数値）＝（現在値÷しきい値）×１００の式で表される％数値である。第３画面の「余裕度（バー形式）」とは、余裕度＝（現在値÷しきい値）をバー形式で表示するものであり、このバー表示としては、例えば図５に例示するように４つの７セグメントＬＥＤの上側と下側に位置する縦セグメントを使って余裕度が表示される。バー表示では、余裕度が増加するに従って、例えば順次左側に位置する縦セグメントを発光させることにより、余裕度の大小を知ることができる。また、余裕度を示すバーが右から左に向けて延びる途中で段差を設けることにより、この段差がしきい値のレベルであることをユーザに教えることができる。
【００３０】
第４画面の「スケーリングしきい値」、「スケーリング現在値」とは、第１画面（「しきい値」×「現在値」）のしきい値及び現在値を予め設定モードで設定したスケーリング目標値に拡大又は縮小させた値を言う。例えば第１画面のしきい値が「１６００」であり、設定モードで予め設定したスケーリング目標値が「２０００」であれば（拡大率２０００÷１６００＝１．２５）、第１画面の現在値が「４０００」であれば、スケーリング現在値は４０００×１．２５＝５０００になる。このときには、「スケーリングしきい値」として「２０００」が表示され、「スケーリング現在値」として「５０００」が表示される。すなわち、第４画面の「スケーリングしきい値」、「スケーリング現在値」は、しきい値及び受光量の表示において、その数値をユーザが任意に設定した数値分だけ拡大又は縮小した状態で表示するものである。
【００３１】
第５画面では、後にダイレクトアクセスメニューで説明する５種類のホールド値から選択して表示することができる。例えば、ＯＮからＯＦＦへのエッジからＯＮからＯＦＦへのエッジまでの最大値、最小値や、ＯＦＦからＯＮへのエッジからＯＦＦからＯＮへのエッジまでの最大値、最小値をホールドしてこれを「第１ホールド値」、「第２ホールド値」として表示させることができる。なお、第５画面を表示中に上下スイッチ２１を３秒以上ダウン側に押す（長押しする）ことにより、ホールド機能を設定する画面（図示せず）に遷移させることができる。第５画面の第１、第２ホールド値を余裕度（％表示）で表示するのが第６画面である。
【００３２】
第７画面の時間幅表示は、例えば出力ＯＮ区間、出力ＯＦＦ区間、出力ＯＮ／ＯＦＦ又は出力ＯＦＦ／ＯＮの１サイクルの時間幅の４種類から選択可能である。この第７画面の時間幅表示中に、上下スイッチ２１を３秒以上ダウン側に押す（長押しする）ことにより、時間幅を設定する画面（図示せず）に遷移させることができる。なお、初期の時間幅表示は、第１時間幅が出力ＯＮ区間の時間幅、第２時間幅が出力ＯＦＦ区間の時間幅が設定されている。
【００３３】
第８画面の「動作モード」とは現在設定されている動作モード、例えばウルトラターボモードが現在設定されているのであれば、「ＵＬｔｒ」の文字が表示される。後に図１０を参照して説明するが、動作モードとして設定可能なモードは、ファインモード、ターボモード、スーパーモード、スーパーターボモード、ウルトラターボモード、ハイスピードモードがあり、その表示は、ファインモードは「ＦｉｎＥ」に対応し、ターボモードは「ｔｕｒｂ」に対応し、スーパーターボモードは「ＳｕＰｒ」に対応し、ウルトラターボモードは「ＵＬｔｒ」に対応し、ハイスピードモードは「ＨＳＰ」に対応する。
【００３４】
上述した運用モードでの第１、第２表示部１７、１８での第１〜第８画面のうち任意の画面をユーザによってこれを省くことができる。すなわち、運用モードで第１、第２表示部１７、１８で表示する第１〜第８画面はユーザによってその一部を省くカスタマイズが可能である。
【００３５】
運用モードでは、後に説明する拡張設定（図７のSTG3-3-2）により、第１、第２の表示部１７、１８を一体に使って４桁を超える数値を表示させる拡張表示を行うことができる。例えば、ウルトラターボモードでは、受光量が４桁表示の上限値である「９９９９」を超える場合がある。この場合には、第１、第２表示部１７、１８を連結した態様の拡張表示で「８桁」表示が可能な表示を行うことができる。拡張表示の態様では、これを明示するための第１表示部１７の左端に拡張（Extended）を意味する「Ｅ」の文字を表示するのが好ましい。拡張表示を行った場合には、受光量（現在値）以外の表示（しきい値）が見えなくなるが、拡張表示中、上下スイッチ２１のアップ側又はダウン側を短押しすると、画面の表示が「現在値」から「しきい値」に切り替わり、好ましくは、この「しきい値」が点滅表示される。「しきい値」の表示の間、何も操作されない状態で所定時間（例えば３秒間）が経過したときには、「しきい値」表示から拡張表示の現在値に戻るようにしてもよい。このような最大８桁までの拡張表示は、上述した第１〜第８画面で行わないで、追加の画面で拡張表示を行うようにしてもよい。なお、「しきい値」が点滅表示中に上下スイッチ２１を操作することで「しきい値」を変更できるようにしてもよい。
【００３６】
前述したように、運用モードでは、モードボタン（Ｍキースイッチ）２０を短押しすることにより、第１画面から順に第８画面まで切り替えることができ、ユーザが好ましいと思う画面を表示させることができる。そして、運用モードでＭキースイッチ２０を長押しすると次に説明する設定モードに切り替わる。
【００３７】
設定モード：
図６〜図８に関する図である。設定モードは、第１〜第４のステージにグループ分けされている。第１ステージ（STG1）は基本機能の設定に関するものであり、第２ステージ（STG2）は拡張機能の設定に関するものであり、第３ステージ（STG3）は表示設定に関するものであり、最終の第４ステージ（STG4）はシステム設定に関するものである。各ステージでは、Ｍキースイッチ２０を短押しすることで設定画面が変遷する。そして、各ステージに含まれる各種の画面が表示されているときにＭキースイッチ２０を長押しすることで設定モードから脱出して運用モードに戻すことができる。また、Ｍキースイッチ２０を押しながら上下スイッチ２１のアップ側を押すとことにより、１つ前の設定画面に戻ることができる。
【００３８】
図６〜図８は設定モードでの設定画面の変遷を示す。この図６〜図８の例では、第１設定画面STG1-1は動作モードの設定画面であるが、この第１設定画面STG1-1に代えて、図９に示すようにエスケープを含むステージ選択メニュー画面を第１番目の表示画面として、運用モードから設定モードに移ったときに最初に表示させるようにしてもよい。この観点から例示した図９を参照して、例えば、第１表示部１７に「ＳｔＧ」などの「ステージ」を意味する文字やエスケープを意味する「Ｅｎｄ」を表示し、第２表示部１８に「ＳｔＧ１」から「ＳｔＧ４」までの各メニューを表示するようにしてもよい。ここに「Ｅｎｄ」は設定モードから運用モードへの戻る、つまりエスケープを意味し、「ＳｔＧ１」は第１ステージを意味し、「ＳｔＧ２」は第２ステージを意味し、「ＳｔＧ３」は第３ステージを意味し、「ＳｔＧ４」は第４ステージを意味する。「Ｅｎｄ」、「ＳｔＧ１」から「ＳｔＧ４」のメニューは上下スイッチ２１をアップ操作することにより、順次、「Ｅｎｄ」、「ＳｔＧ１」、「ＳｔＧ２」、「ＳｔＧ３」、「ＳｔＧ４」のステージ選択メニューが表示され、上下スイッチ２１をダウン操作することにより第２表示部１８の表示は逆方向（左方向）に順次切り替わる。そして、所望のメニューが表示されたときにＭキースイッチ２０を短押しすることで、選択したステージに移行させることができる。なお、ステージ選択メニュー画面の表示に関し、このステージ選択メニュー画面を表示するときに、前回選択したステージを記憶しておき、これを先頭画面として表示するようにしてもよい。
【００３９】
ステージ選択メニュー画面の表示に関し、前回選択したステージ、例えば前回第３ステージを選択した場合に、これを記憶しておき、次回ステージ選択メニュー画面が表示されるときには、前回選択された第３ステージ「ＳｔＧ３」を先頭画面に表示するようにしてもよい。
【００４０】
第１ステージ：
図６に戻って、第１ステージの第１番目に表示される運用モード設定画面STG1-1は、第１表示部１７又は第２表示部１８に現在設定されている動作モードが表示され、第２表示部１８又は第１表示部１７に、その動作モードに対応した現在値（受光量）が表示される。図１０は、その一例を示す。図１０の例では、第１表示部１７に現在設定されている動作モード、例えば、ウルトラターボモードが現在設定されているのであれば「ＵＬｔｒ」の文字が表示される。第２表示部１８には、上下スイッチ２１をアップ操作することにより、第２表示部１９のメニューとして、順次、「ＦｉｎＥ」（ファインモード）、「ｔｕｒｂ」（ターボモード）、「ＳｕＰｒ」（スーパーターボモード）、「ＨＳＰ」（ハイスピードモード）が表示され、上下スイッチ２１をダウン操作することにより第２表示部１８の表示は逆方向（左方向）に順次切り替わり、この上下スイッチ２１のアップ又はダウン操作で動作モードを変更した時点でリアルタイムに当該動作モードに切り替わる。また、Ｍキースイッチ２０を短押しすることで、第１、第２表示部１７、１８は次のティーチング設定画面STG1-2（図６）に切り替わる。
【００４１】
現在設定されている動作モードの表示（第１表示部１７）と、現在値（第２表示部１８）とは表示色を変えるようにしてもよいし、及び／又は、第１表示部１７の動作モードの表示を点滅表示させるようにしてもよい。以下に説明する他の設定事項についても選択可能なメニューなどの表示を点滅表示させるようにしてもよい。
【００４２】
図６のティーチング設定画面STG1-2は、図１１に示すように、第１表示部１７にティーチング設定を意味する「ｔｕｎＥ」の文字が表示され、第２表示部１８には、上下スイッチ２１をアップ操作又はダウン操作することにより、「Ｓｔｄ」又は「Ｐｔｕｎ」が表示される。「Ｓｔｄ」は標準（スタンダード）を意味し、これを選択したときには、運用モードでセットキースイッチ２３の操作によりティーチングが行われる。「Ｐｔｕｎ」は余裕度チューニングを意味し、これを選択してＭキースイッチ２０を短押しすると、図１２に示すように、第１表示部１７が「Ｐｔｕｎ」の文字が表示され、第２表示部１８には、上下スイッチ２１をアップ操作又はダウン操作することで「−９９Ｐ」〜「９９Ｐ」までの任意の数値を設定することができる。この設定は、上下スイッチ２１の操作を止めた時点で確定（設定）するようになっており、また、Ｍキースイッチ２０を短押しすることで第１、第２表示部１７、１８は第１回目のエスケープを含むステージ選択メニュー画面STG1-3（図６）に切り替わる。
【００４３】
図６のエスケープを含むステージ選択メニュー画面STG1-3では、図１３に示すように、上下キースイッチ２１を操作することにより、「Ｅｎｄ」、「ＳｔＧ２」、「ＳｔＧ３」、「ＳｔＧ４」の４つのメニューが第１表示画面１７又は第２表示画面１８に表示される。ここに、「Ｅｎｄ」は、設定モードからの脱出つまり運用モードへの復帰を意味し、「ＳｔＧ２」は第２ステージを意味し、「ＳｔＧ３」は第３ステージを意味し、「ＳｔＧ４」は第４ステージを意味する。すわなち、第１ステージの最後に表示されるステージ選択メニュー画面STG1-3では、これによりも後段のステージつまり第２ステージ以降のステージがメニュー表示され、これにより全てのステージをメニュー表示するのに比べてユーザのキー操作の回数を低減することができる。そして、所望の文字が表示されているときにＭキースイッチ２０を短押しすることで、運用モードに復帰又は選択したステージ又は移行させることができる。このステージの選択メニューは点滅表示してもよいし、また、第１表示部１７と異なる色で表示してもよい。
【００４４】
また、このステージ選択メニュー画面STG1-3を表示するときに、前回、例えば第４ステージが選択されたときには、これを記憶しておき、次回ステージ選択メニュー画面STG1-3を表示するときに、前回選択されたステージ、上記の例で言えば、第４ステージ「ＳｔＧ４」を先頭画面として表示するようにしてもよい。
【００４５】
第２ステージ： 
今、第２ステージ「ＳｔＧ２」を選択したとすると、第２ステージの第１番目に表示される設定画面STG2-1はＤＳＣに関するものである（図６）。ＤＳＣは、自動感度補正に関するものであり、ＤＳＣ設定画面は、図１４に示すように、先ず、ＤＳＣを意味する「ｄＳｃ」の文字が第１表示部１７に表示され、第２表示部１８には「ｏＦＦ」の文字が表示される。ユーザがＭキースイッチ２０を短押しすることで「ｏＦＦ」を設定すると、自動感度補正をキャンセルする設定が行われ、後に説明する第２ステージの第２番目の設定画面STG2-2であるエリア設定画面に切り替わる（図６）。他方、上下スイッチ２１をアップ操作することで、第２表示部１８は、順に、「ＯｄＳｃ」、「ＰｄＳｃ」の文字に切り替わる。「ＯｄＳｃ」はゼロ自動感度補正であり、「ＰｄＳｃ」はパーセント自動感度補正である。ユーザがＭキースイッチ２０を短押しすることで「ＯｄＳｃ」又は「ＰｄＳｃ」を選択すると、図１５に示すように、第１、第２表示部１７、１８は、第１表示部１７に「ｄＳｃ」の文字が表示され、第２表示部１８は、レベルを意味する「ＬＥｖ」に付記する形で「１」〜「５」のメニューが上下スイッチ２１を操作することにより表示される。
【００４６】
「ＯｄＳｃ」のレベル１〜５は補正時定数の大小によって次のように設定されている。
(1)レベル１：５０００ms；
(2)レベル２：５００ms；
(3)レベル３：５０ms；
(4)レベル４：５ms；
(5)レベル５：0.5ms
【００４７】
「ＰｄＳｃ」のレベル１〜５は補正時定数の大小によって次のように設定されている。
(1)レベル１：５０００ms；
(2)レベル２：５００ms；
(3)レベル３：５０ms；
(4)レベル４：５ms；
(5)レベル５：0.5ms
【００４８】
Ｍキースイッチ２０を短押しすることで、第１、第２表示部１７、１８は、第３番目のタイマ設定画面STG2-3に切り替わる（図６）。
【００４９】
前述した第２番目のエリア設定画面STG2-2では、図１６に示すように、当該画面がエリア設定画面であることを表す「ＡｒＥＡ」の文字が第１表示部１７に表示され、第２表示部１８には、「ｏＦＦ」又は「ｏｎ」の文字が上下スイッチ２１を操作することにより順次表示される。「ｏＦＦ」はエリア検出をキャンセルすることを意味し、「ｏｎ」はエリア検出をオンすることを意味する。エリア検出とは、上下２つのしきい値を使って検出するときに、２つのしきい値の間ではＯＮ、上限しきい値よりも大又は下限しきい値よりも小のときにはＯＦＦする検出方法である。Ｍキースイッチ２０を短押しすることで、第１、第２表示部１７、１８は、第３番目のタイマ設定画面ST2-3に切り替わる（図６）。
【００５０】
タイマ設定画面STG2-3は、(1)検出物Ｔの存在を検出した後、所定時間経過した後にＯＮ信号を出力するオンディレーの設定、(2)検出物Ｔの存在が無くなったことを検出した後、所定時間経過した後にＯＦＦ信号を出力するオフディレーの設定、(3)ワンショット制御の設定とを含む。ワンショット制御とは、判定がＯＦＦからＯＮに変わったときに、所定時間だけ出力する制御である。
【００５１】
タイマ設定画面STG2-3は、図１７に示すように、(i)「ｔｏＦＦ」（第２表示部１８はブランク）、(ii)「ｏＦＦｄ」（第２表示部１８はブランク）、(iii)「ｏｎ−ｄ」（第２表示部１８はブランク）、(iv)「Ｓｈｏｔ」（第２表示部１８はブランク）、(v)「ｏｎ−ｄ」（第１表示部１７）と「ｏＦＦｄ」（第２表示部１８）との組み合わせ、(vi)「ｏｎ−ｄ」（第１表示部１７）と「Ｓｈｏｔ」（第２表示部１８）との組み合わせの６つのメニューから選択可能であり、上下スイッチ２１を操作することでタイマ設定画面STG2-3を遷移させることができる。ここに、(i)の「ｔｏＦＦ」はタイマ設定をキャンセルすることを意味する。タイマ設定をキャンセルされると、光電スイッチ１００が検出物Ｔの存在を検出すると直ちに検出信号を出力し、検出物Ｔの存在を検出している間、検出信号を出力し続ける。(ii)の「ｏＦＦｄ」はオフディレーを意味し、判定がＯＮからＯＦＦに変わったとしても、設定したディレー時間が経過した後に出力がオフする。(iii)の「ｏn-ｄ」はオンディレーを意味し、判定がＯＦＦからＯＮに変わったとしても、設定したディレー時間が経過した後に出力がオンする。(iv)の「Ｓｈｏｔ」はワンショット制御を意味する。
【００５２】
(i)の「ｔｏＦＦ」が表示されているときにＭキースイッチ２０を短押しすると、第２ステージの第４番目のＡＰＣ設定画面（図６のSTG2-4）に切り替わる。(ii)〜(iv)の「ｏＦＦｄ」、「ｏｎ−ｄ」、「Ｓｈｏｔ」が表示されているときに、Ｍキースイッチ２０を短押しすると、図１８に示すように、夫々のタイマ時間を設定する画面に切り替わり、表示されているタイマ時間は上下スイッチ２１を操作することにより数値を増減することができる。そして、更に、Ｍキースイッチ２０を短押しするとＡＰＣ設定画面（STG2-4）に切り替わる。(v)「ｏｎ−ｄ」／「ｏＦＦｄ」、(vi)「ｏｎ−ｄ」／「Ｓｈｏｔ」が表示されているときに、Ｍキースイッチ２０を短押しすると、図１９に示すように第１タイマ時間（Ｔ１）つまり第１表示部１７に表示されている項目（オンディレー時間）を設定する画面に切り替わり、表示されているタイマ時間は上下スイッチ２１を操作することにより数値を増減することができる。更に、Ｍキースイッチ２０を短押しすると、図１９に示すように第２タイマ時間（Ｔ２）つまり第１表示部１７に表示されている項目（オフディレー時間又はワンショット時間）を設定する画面に切り替わり、表示されているタイマ時間は上下スイッチ２１を操作することにより数値を増減することができる。そして、更にＭキースイッチ２０を短押しするとＡＰＣ設定画面（STG2-4）に切り替わる。
【００５３】
図６のＡＰＣ設定画面（STG2-4）は、既知のように、発光素子１２の発光量を一定に維持するための機能であり、図２０に示すように、上下スイッチ２１を操作することによりＡＰＣ機能の「ｏＦＦ」又は「ｏｎ」を設定することができる。尚、図１６の第１表示部１７に表示されている「ＡＰＣ」はＡＰＣ機能の設定であることを意味し、「ｏＦＦ」を設定するとＡＰＣ機能がキャンセルされ、「ｏｎ」を設定するとＡＰＣ機能のオンが設定される。
【００５４】
Ｍキースイッチ２０を短押しして、ＡＰＣ設定画面（STG2-4）の設定が終わると、第２ステージの最後の画面であるエスケープを含むステージ選択画面STG2-5に切り替わる（図６）。すなわち、図２１に示すように第１表示部１７や第２表示部１８に、「Ｅｎｄ」、「ＳｔＧ３」又は「ＳｔＧ４」が表示される。Ｍキースイッチ２０を短押しすることにより「Ｅｎｄ」を選択すると運用モードに戻ることができる。また、Ｍキースイッチ２０を短押しすることで、「ＳｔＧ３」又は「ＳｔＧ４」を選択したときには、選択した次のステージ３又はこのステージ３をジャンプしてステージ４に移行させることができる。
【００５５】
第２ステージの最後の画面であるステージ選択画面STG2-5を表示するときに、前回、エスケープつまり「Ｅｎｄ」が選択されたときには、これを記憶しておき、次回ステージ選択メニュー画面STG1-3を表示するときに、前回選択されたステージとして上記の例で言えば、エスケープ「Ｅｎｄ」を先頭画面として表示するようにしてもよい。
【００５６】
第３ステージ：
第３ステージでは、最初に表示シフトの設定に関する画面STG3-1が表示される（図７）。表示シフト設定画面STG3-1は、図２２に例示するように、第１表示部１７に表示シフトを意味する「ＳｈＦｔ」の文字が表示され、第２表示部１８には、上下スイッチ２１を操作することにより「−１９９９」〜「９９９９」までの数値を表示させることができる。第２表示部１８の数値は「０」（ゼロ）であればシフト無しであり、運用モードでは、実際の受光量やしきい値を表示させることができる。第２表示部１８の数値が１以上であれば、運用モードで、この数値に従ってシフトした受光量やしきい値を表示させることができる。上下スイッチ２１を操作して、ユーザが所望の数値を第２表示部１８に表示させた後にＭキースイッチ２０を短押しすることでシフト量を設定することができ、第１、第２表示部１７、１８は、次の表示反転設定画面STG3-2に切り替わる（図７）。
【００５７】
表示反転設定画面STG3-2は、図２３に例示するように、第１表示部１７に「display」を意味する「ｄiＳＰ」の文字が表示され、第２表示部１８には、上下スイッチ２１を操作することにより「Ｓｔｄ」、「ｒＥｖ」のメニューを表示させることができる。Ｍキースイッチ２０を短押しすることにより「Ｓｔｄ」（standard）を設定したときには、順方向の表示態様に設定することができる。他方、「ｒＥｖ」(reverse)を設定したときには、例えば「１２３」が順方向の表示であるとすると、これを「３２１」を上下に逆さまに表示する逆方向の表示態様に設定することができる。
【００５８】
第３ステージの第３番目の設定画面STG3-3は表示カスタマイズに関する（図７）。表示カスタマイズ設定画面STG3-3は、図２４に示すように、表示カスタマイズを意味する「ｄｃＳｔ」の文字が第１表示部１７に表示され、上下スイッチ２１を操作することにより第２表示部１８に「ｎｏ」と「ＹＥＳ」のメニューを表示させることができる。Ｍキースイッチ２０を短押しすることにより「ＹＥＳ」を選択したときには、表示に関する種々の設定STG3-3-1〜STG3-3-9を行うことができる（図７）。表示カスタマイズに関する第１番目の項目STG3-3-1は、標準態様の表示を選択するか否かに関するものであり、図２５に示すように、標準を意味する「Ｓｔｄ」の文字が第１表示部１７に表示され、上下スイッチ２１を操作することにより第２表示部１８に「ｏｎ」と「ｏＦＦ」のメニューを表示させることができる。Ｍキースイッチ２０を短押しすることにより「ｏｎ」を設定すると、運用モードで標準の表示で選択できるようになる。他方、「ｏＦＦ」を設定すると運用モードで標準の表示が選択できなくなる。
【００５９】
すなわち、図７の表示カスタマイズに関する設定画面STG3-3-1乃至STG3-3-9は、運用モードでＭキースイッチ２０を短押しすることにより選択表示可能な画面を設定するメニューである。運用モードに関する図４において、Ｍキースイッチ２０を短押しすることにより画面(I)〜(VII)が順次切り替わるが、設定画面STG3-3-1乃至STG3-3-9で「ｏＦＦ」を選択された画面は、図４の遷移において表示されることなくスキップされる。例えば、STG3-3-1で「ｏｎ」に設定し、STG3-3-3乃至STG3-3-9の全てを「ｏＦＦ」に設定すると、運用モードでは第１画面(I)だけが表示され、Ｍキースイッチ２０を短押ししても第２画面などは表示されない。
【００６０】
表示のカスタマイズに関する第２番目の項目は拡張設定STG3-3-2に関するものであり、図２６に示すように、拡張を意味する「ＳｔｄＥ」の文字が第１表示部１７に表示され、上下スイッチ２１を操作することにより第２表示部１８に「ｏＦＦ」と「ｏｎ」のメニューを表示させることができる。Ｍキースイッチ２０を短押しすることにより「ｏｎ」を設定すると、先に説明したように運用モードで受光量を第１、第２表示部１７、１８を一体的に使用した形式で表示することができる。他方、「ｏＦＦ」を設定すると、この拡張設定がキャンセルされ、数値は個々の表示部１７又は１８を使って行われる。
【００６１】
表示のカスタマイズに関する第３番目の項目は余裕度STG3-3-3に関するものであり、図２７に示すように、余裕度を意味する「ＳｔｄＰ」の文字が第１表示部１７に表示され、上下スイッチ２１を操作することにより第２表示部１８に「ｏＦＦ」と「ｏｎ」のメニューを表示させることができる。Ｍキースイッチ２０を短押しすることにより「ｏｎ」を設定すると、運用モードでの表示画面のうち図４に図示の画面(II)を表示させることができ、他方、「ｏＦＦ」を設定すると、運転モードでは、図４の画面(II)の表示が省かれる。したがって、運用モードでは、図４の画面(II)を除いた形式で画面が変遷される。
【００６２】
表示のカスタマイズに関する第４番目の項目は余裕度のバー表示STG3-3-4に関するものであり、図２８に示すように、バーを意味する「ｂＡｒ」の文字が第１表示部１７に表示され、上下スイッチ２１を操作することにより第２表示部１８に「ｏＦＦ」と「ｏｎ」のメニューを表示させることができる。Ｍキースイッチ２０を短押しすることにより「ｏｎ」を設定すると、運転モードでの表示画面のうち図４に図示の画面(III)を表示させることができ、他方、「ｏＦＦ」を設定すると、運用モードでは、図４の画面(III)の表示が省かれる。したがって、運用モードでは、図４の画面(III)を除いた形式で画面が変遷される。
【００６３】
第５番目のカスタマイズ項目はスケーリング表示STG3-3-5に関するものであり、図２９に示すように、スケーリングを意味する「ＳｃＡＬ」の文字が第１表示部１７に表示され、上下スイッチ２１を操作することにより第２表示部１８に「ｏＦＦ」と「ｏｎ」のメニューを表示させることができる。Ｍキースイッチ２０を短押しすることにより「ｏｎ」を設定すると、運用モードでの第４画面(IV)において、スケーリングしきい値及びスケーリング受光量が表示され、「ｏＦＦ」を設定すると、運用モードでは図４の画面(IV)の表示が省かれる。したがって、運用モードでは、図４のシフト後のしきい値、受光量に関する画面(IV)を除いた形式で画面が変遷される。
【００６４】
第６番目のカスタマイズ項目は受光量のホールド値の表示STG3-3-6に関するものであり、図３０に示すように、ホールド値を意味する「ＨＬｄ」の文字が第１表示部１７に表示され、上下スイッチ２１を操作することにより第２表示部１８に「ｏＦＦ」と「ｏｎ」のメニューを表示させることができる。Ｍキースイッチ２０を短押しすることにより「ｏｎ」を設定すると、運転モードでの第５画面(Ｖ)において、受光量の最大ホールド値及び最小ホールド値が表示され、「ｏＦＦ」を設定すると、運用モードでは図４の画面(Ｖ)の表示が省かれる。したがって、運用モードでは、図４の受光量のホールド値に関する画面(Ｖ)を除いた形式で画面が変遷される。
【００６５】
第７番目のカスタマイズ項目は余裕度のホールド値の表示STG3-3-7に関するものであり、図３１に示すように、余裕度のホールド値を意味する「ＨＬｄＰ」の文字が第１表示部１７に表示され、上下スイッチ２１を操作することにより第２表示部１８に「ｏＦＦ」と「ｏｎ」のメニューを表示させることができる。Ｍキースイッチ２０を短押しすることにより「ｏｎ」を設定すると、運用モードでの第６画面(VI)において、余裕度の最大ホールド値及び最小ホールド値が表示され、「ｏＦＦ」を設定すると、運用モードでは図４の画面(VI)の表示が省かれる。したがって、運用モードでは、図４の余裕度のホールド値に関する画面(VI)を除いた形式で画面が変遷される。
【００６６】
第８番目のカスタマイズ項目は時間幅の表示STG3-3-8に関するものであり、図３２に示すように、時間幅を意味する「ｔｉｍＥ」の文字が第１表示部１７に表示され、上下スイッチ２１を操作することにより第２表示部１８に「ｏＦＦ」と「ｏｎ」のメニューを表示させることができる。Ｍキースイッチ２０を短押しすることにより「ｏｎ」を設定すると、運用モードでの第７画面(VII)において、第１時間幅及び第２時間幅が表示され、「ｏＦＦ」を設定すると、運用モードでは図４の時間幅に関する画面(VII)の表示が省かれる。したがって、運用モードでは、図４の時間幅に関する画面(VII)を除いた形式で画面が変遷される。
【００６７】
第９番目のカスタマイズ項目は運用モードの表示STG3-3-9に関するものであり、図３３に示すように、動作モードを意味する「Ｐｏｗ」の文字が第１表示部１７に表示され、上下スイッチ２１を操作することにより第２表示部１８に「ｏＦＦ」と「ｏｎ」のメニューを表示させることができる。Ｍキースイッチ２０を短押しすることにより「ｏｎ」を設定すると、運用モードでの第８画面(VIII)において、動作モードに関する表示を行うことができ、「ｏＦＦ」を設定すると、運用モードでは図４の動作モードに関する画面(VIII)の表示が省かれる。したがって、運用モードでは、図４の動作モードに関する画面(VIII)を除いた形式で画面が変遷される。
【００６８】
第３ステージの最後の画面はステージ選択画面STG3-4である（図７）。この第３ステージの最後に表示されるステージ選択画面STG3-4では、第１表示部１７にステージ選択画面STG2-5又はエスケープを意味する「Ｅｎｄ」又は「ＳｔＧ」などの文字が表示され、第２表示部１８に「ＳｔＧ４」が表示される（図３４）。Ｍキースイッチ２０を短押しすることで、次の最終ステージ４に移行することができる。また、Ｍキースイッチ２０を長押しすることで設定モードを終了して運用モードに戻すことができる。変形例として、第３ステージと最終の第４ステージとの間のステージ選択画面STG3-4を省いてもよい
【００６９】
第４ステージ：
最終の第４ステージはシステム設定に関するものであり、項目として、図８に例示するように、パワーセーブ設定画面STG4-1、キーロックレベル設定画面STG4-2、保存設定画面STG4-3、干渉防止台数設定画面STG4-4を含む。
【００７０】
パワーセーブ設定画面STG4-1は、図３５に例示するように、パワーセーブを意味する「Ｅｃｏ」の文字が第１表示部１７に表示され、第２表示部１８には、上下スイッチ２１を操作することにより、「ｏＦＦ」、「ｏｎ」、「ＡＬＬ」の３つのメニューが表示される。ユーザがＭキースイッチ２０を短押しして「ｏＦＦ」を設定すると、光電スイッチ１００の運用モードでの表示は通常の表示態様で動作する。また、「ｏｎ」を設定すると運用モードでの数値などが単に例えば赤又は緑の小さなランプ状の表示態様になり、この省エネルギ表示態様では、何らかのキーを押すと、所定時間、通常の表示つまり数値又は文字に戻る。また、「ＡＬＬ」を設定すると、運用モードでは、数値などが完全に消灯した状態となり、何らかのキーを押すと、所定時間、通常の表示態様に戻る。
【００７１】
ユーザが、パワーセーブ設定画面STG4-1を使ってＭキースイッチ２０を短押しすることにより「ｏＦＦ」、「ｏｎ」、「ＡＬＬ」の何れかを設定すると、次のキーロックレベル設定画面STG4-2に切り替わる。キーロックレベル設定画面STG4-2は、図３６に例示するように、キーロックレベルを意味する「Ｌｏｃ」の文字が第１表示部１７に表示され、第２表示部１８には、上下スイッチ２１を操作することにより、「ＬＥｖ１」、「ＬＥｖ２」、「ＬＥｖ３」の３つのメニューが表示される。「ＬＥｖ１」はレベル１を意味し、「ＬＥｖ２」はレベル２を意味し、「ＬＥｖ３」はレベル３を意味する。ユーザは、３つのメニューから任意のキーロックレベルをＭキースイッチ２０を短押しすることにより態様の異なるキーロックを設定することができる。これにより、運用モードで、所定のキー操作、例えばＭキースイッチ２０と上下スイッチ２１とを一緒に長押しするとロック状態となり、同様に、ロック解除することができる。ここに、キーロックレベル１〜３は次のとおりである。
【００７２】
キーロックレベル１：(1)Ｍキースイッチ２０を短押しすることで運用モードでの表示切替は可能である。(2)この表示切替え可能な画面は、設定モードの第３ステージの表示カスタマイズ設定STG3-3で「ＯＮ」に設定した画面が対象となり、「ＯＦＦ」に設定された画面は対象外となる。(3)受光量及び余裕度を２つの表示部１７、１８の合計８つの７セグメントを使って表示する拡張表示（数値であれば８桁表示）がＯＮ設定されているときには、運用モードで拡張表示しているときに上下スイッチ２１を押すことで第１、第２表示部１７、１８を一体的に使用して８桁でしきい値が表示される。(4)セットキースイッチ２３を使ったしきい値の自動調整（しきい値の自動再調整）や上下スイッチ２１を使ってしきい値の手動再設定はできない。セットキースイッチ２３や上下スイッチ２１を操作すると、第１又は第２表示部１７又は１８に「Ｌｏｃ」の文字が表示され、ロック状態であることを示すようにするのが好ましい。
【００７３】
キーロックレベル２：上記(1)〜(3)はレベル１と同じである。(5)セットキースイッチ２３を使ったしきい値の自動調整（しきい値の自動再調整）は可能である。(6)上下スイッチ２１を操作してしきい値の微調整（手動再設定）は可能である。なお、このレベル２では、Ｍキースイッチ２０を長押ししても設定モードに移行することはできない。すなわち、レベル２は、上記レベル１と同様に、運用モードだけの使用態様になる。
【００７４】
キーロックレベル３：上記(1)〜(3)及び(5)、(6)に加えて、(7)Ｍキースイッチ２０を短押しすることで設定モードに切り替えて設定事項を確認することができるが、設定モードで各種の設定を変更することはできない。
【００７５】
キーロックレベルに関する変形例を以下に説明する。
【００７６】
変形例のレベル１：(1)Ｍキースイッチ２０を短押しすることで運用モードでの表示切替は可能である。(2)この表示切替え可能な画面は、設定モードの第３ステージの表示カスタマイズ設定STG3-3で「ＯＮ」に設定した画面が対象となり、「ＯＦＦ」に設定された画面は対象外となる。(3)受光量及び余裕度を２つの表示部１７、１８の合計８つの７セグメントを使って表示する拡張表示（数値であれば８桁表示）がＯＮ設定されているときには、運用モードで拡張表示しているときに上下スイッチ２１を押すことで第１、第２表示部１７、１８を一体的に使用して８桁でしきい値が表示される。(4)８桁のしきい値を表示しているときに上下スイッチ２１を操作してもしきい値の微調整（変更）はできず、第１又は第２表示部１７又は１８に「Ｌｏｃ」の文字が表示される。なお、このレベル１では、Ｍキースイッチ２０を長押ししても設定モードに移行することはできない。すなわち、レベル１は運用モードだけの使用態様になる。
【００７７】
変形例レベル２：上記変形例レベル１の(1)〜(4)と同様であるが、この変形例レベル２では、Ｍキースイッチ２０を長押することで設定モードに移行することができるが、設定変更はできない。
【００７８】
変形例レベル３：運用モードで、(5)セットキースイッチ２３を使ったしきい値の自動調整は可能である。(6)運用モードで上下スイッチ２１を操作してしきい値の微調整（変更）は可能である。なお、この変形例レベル３では、Ｍキースイッチ２０を長押しして設定モードに移行できるが、設定モードを使って設定変更はできない。すなわち、変形例レベル３で設定モードに移行して設定内容を確認できるに過ぎない。
【００７９】
図３６のキーロックレベル設定画面STG4-2を使って設定したレベル１〜３は、運用モードでＭキースイッチ２０と上下スイッチ２１のダウン側とを一緒に押すことでキーロックのロック解除又はロックを切り替えることができる。キーロックを解除することで上記のレベル１〜３のキーロック設定は解除された状態になる。
【００８０】
上記キーロックレベル設定画面STG4-2を使ってＭキースイッチ２０を短押しすることにより所望のキーロックレベルを設定すると第４ステージの第３番目の設定画面STG4-3である保存設定画面（図３７）に切り替わる。保存設定画面STG4-3は、ＤＳＣ機能を選択している場合に有効な機能に関するものであり、第１表示部１７に保存を意味する「ＳＡｖＥ」の文字が表示され、第２表示部１８には「Ａｕｔｏ」、「１００」、「５００」、「１０００」、「２０００」のメニューが上下スイッチ２１を操作することにより表示される。ユーザはＭキースイッチ２０を短押しすることで所望の保存態様を設定することができる。ここに、「Ａｕｔｏ」を選択したときには、状態に応じて自動で保存する設定となり、「１００」を選択したときには、ＯＮ／ＯＦＦ１００回毎に保存する設定となり、「５００」を選択したときには、ＯＮ／ＯＦＦ５００回毎に保存する設定となり、「１０００」を選択したときには、ＯＮ／ＯＦＦ１０００回毎に保存する設定となり、「２０００」を選択したときには、ＯＮ／ＯＦＦ２０００回毎に保存する設定となる。
【００８１】
第４ステージの第４番目の設定画面STG4-4は干渉防止台数に関するものであり、図３８に例示するように、第１表示部１７には、干渉を意味する「ｉｎｔｒ」の文字が表示され、第２表示部１８には、上下スイッチ２１を操作することにより、「Ｓｔｄ」と「ｄｏｂＬ」のメニューが表示される。ユーザがＭキースイッチ２０を短押しして「Ｓｔｄ」を設定したときには標準状態に設定され、「ｄｏｂＬ」を設定したときには干渉防止台数が標準の２倍に設定される。Ｍキースイッチ２０を短押しすることにより干渉防止台数に関する設定が完了すると運用モードに戻る。
【００８２】
好ましい実施例では、複数のステージに分けた設定項目の表示の他に、ユーザが所望の設定項目を抽出してカスタマイズした表示態様を含むのがよい。便宜上、このカスタマイズした設定項目のの限定的な表示態様を「カスタムイージーメニュー」と呼ぶと、このカスタムイージーメニューは、図３９に示すように、運用モードから移行する段階でユーザに選択させるのがよい。運用モードでＭキースイッチ２０を長押しすると、先ず、選択画面が表示され、この選択画面で、図６などで説明した設定モードの表示態様（通常メニュー表示）又はカスタムイージーメニュー表示とを選択し、通常メニュー表示を選択したときには、図６などを参照して説明した設定モードの表示態様となる。他方、カスタムイージーメニュー表示を選択したときには、ユーザが予め登録した設定項目だけを表示する表示態様となる。
【００８３】
すなわち、例えば、図６〜図８の通常メニュー表示（フル表示）では、設定項目が(1)「動作モード」、(2)「ティーチング」、・・・(12)「設定保存」、(13)「干渉防止台数」まで大別して１３の設定項目を含み、これらを順次表示するようになっているが、限定表示であるカスタムイージーメニュー表示態様では、例えば、ユーザが(1)「動作モード」、(2)「ティーチング」など４つの設定項目を登録したときには、この４つの設定項目だけが順次表示される。カスタムイージーメニューで表示する設定項目の登録方法としては、例えば、通常メニュー表示態様で表示している最中に、所望の設定項目が表示されているときにセットキースイッチ２３を押すことでカスタムイージーメニューに追加登録できるようにするのが操作の上で都合がよい。逆に、カスタムイージーメニューの表示項目から登録を削除するには、カスタムイージーメニュー表示態様で表示している最中に、削除すべき設定項目が表示されているときにセットキースイッチ２３を押しながら上下スイッチ２１の例えばアップ側を押すことで、当該設定項目がカスタムイージーメニューの登録から削除できるようにするのが都合がよい。
【００８４】
このように、設定項目を表示する設定モードの表示態様として、ユーザが選択した設定項目だけを表示するカスタムイージーメニューを追加し、運用モードから移行する第１段階で、カスタムイージーメニュー表示態様又は通常のメニュー表示態様をユーザに選択させることで、多機能化した光電スイッチの複雑な設定作業を簡便化することができる
【００８５】
好ましい実施例として、また、運用モードからキー操作により特定の設定項目の設定モードに直接的に移行することのできる機能を付加するのがよい。この機能を「ダイレクトアクセスメニュー」と呼ぶと、ダイレクトアクセスメニューは、例えば、図４の運用モードの(IV)「スケーリング」画面〜(VIII)「動作モード」画面の何れかの画面を表示している最中に、上下スイッチ２１のダウン側を長押しすることにより、当該画面に表示されている情報に関連した設定モードに直接的に入ることができる。このようなダイレクトアクセルメニューを用意することにより、運用モードで表示中に、必要に応じて、当該表示中の情報に関する設定を直接的に変更することができるため都合が良く、また、設定変更に必要が操作を簡便化することができる。
【００８６】
図４０に示すように、運用モードの第４画面「スケーリングしきい値」×「スケーリング現在値」を表示しているときに、上下スイッチ２１のダウン側を３秒以上長押しすると、第１表示部１７にスケーリングを意味する「ＳｃＡＬ」の文字が表示され、第２表示部１８にスケーリング目標値としての数値が表示され、この数値は上下スイッチ２１を操作することにより「０」〜「９９９９」まで任意のスケーリング目標値を設定することができる。この設定作業が完了したらＭキースイッチ２０を短押しすることで運用モードの表示に戻ることができる。
【００８７】
図４１に示すように、運用モードの第５画面「第１ホールド値」×「第２ホールド値」を表示しているときに、上下スイッチ２１のダウン側を３秒以上長押しすると、ホールド機能に関する設定モードに入り、この設定モードで所望のホールド機能を設定し終わったらＭキースイッチ２０を短押しすることで運用モードの表示に戻ることができる。図４２は、ホールド機能に関する設定モードでの画面の変遷を示す。第１表示部１７には、ホールドを意味する「ＨＬｄ」の文字が表示され、上下スイッチ２１を操作することにより第２表示部１８は、「Ｓｔｄ」、「ＰＰＰ」、「ｂＰｂ」、「ＰｂＰ」、「ＰＰｂ」の５種類のメニューが順次表示される。「Ｓｔｄ」は標準の意味であり、この「Ｓｔｄ」では、前述した所定時間の「ＯＮ→ＯＦＦエッジからＯＮ→ＯＦＦエッジ」まで及び「ＯＦＦ→ＯＮエッジからＯＮ→ＯＦＦエッジ」までの最大値、最小値をホールドして、これを第１、第２ホールド値として表示する。「ＰＰＰ」は、「Ｓｔｄ」と同じ内容でホールドした「最大値」を蓄積して、この中で最も大きい数値と最も小さい数値を第１、第２ホールド値として表示する。「ｂＰｂ」は、「Ｓｔｄ」と同じ内容でホールドした「最小値」を蓄積して、この中で最も大きい数値と最も小さい数値を第１、第２ホールド値として表示する。「ＰｂＰ」は、「Ｓｔｄ」と同じ内容でホールドした「最大値」の中の最小値と、「Ｓｔｄ」と同じ内容でホールドした「最小値」の中の最大値を第１、第２ホールド値として表示する。「ＰＰｂ」は、ＯＮ/ＯＦＦに関係しないで、過去の最大値、最小値を第１、第２ホールド値として表示する。
【００８８】
なお、上記の５つのホールド機能のうち、「Ｓｔｄ」以外は、ホールド値が初期化されないで、常に最大又は最小が更新されていくため、任意の時点からのホールド値を表示させたいという要望に答えるために、リセット機能を追加するのが好ましい。例えば、運用モードでホールド表示を行っている最中に、所定のキー操作や外部入力により、これまでのホールド値をリセットできるようにするのが好ましい。
【００８９】
ダイレクトアクセスメニューに関し、更に好ましくは、運用モードの第６画面「第１余裕度」×「第２余裕度」を表示しているときに、上下スイッチ２１のダウン側を３秒以上長押しすると、余裕度表示に関する設定モードに入り、この設定モードで所望の余裕度表示を設定し終わったらＭキースイッチ２０を短押しすることで運用モードの表示に戻ることができる。この余裕度表示は、上記のホールド機能と同じ内容のものから選択することができるようにしてもよいし、これに代えて又はこれに加えて余裕度の数値表示とバー表示との表示形式の切り替えができるようにしてもよい。
【００９０】
図４３に示すように、運用モードの第７画面「第１時間幅」×「第２時間幅」を表示しているときに、上下スイッチ２１のダウン側を３秒以上長押しすると、時間幅表示に関する設定モードに入り、この設定モードで所望の時間幅表示を設定し終わったらＭキースイッチ２０を短押しすることで運用モードの表示に戻ることができる。図４４は、時間幅表示に関する設定モードでの画面の変遷を示す。第１表示部１７には、時間を意味する「ＴｉｍＥ」の文字が表示され、上下スイッチ２１を操作することにより第２表示部１８は、「Ｓｔｄ」、「ｏｎP」、「ｏＦP」、「ＣｙP」の４種類のメニューが順次表示される。「Ｓｔｄ」は標準の意味であり、この「Ｓｔｄ」では、第１表示部１７にＯＮ時間幅が表示され、第２表示部１８にＯＦＦ時間幅が表示される。「ｏｎP」では、ＯＮ時間幅の最大値、最小値が第１、第２表示部１７、１８にホールドして表示される。「ｏＦP」では、ＯＦＦ時間幅の最大値、最小値が第１、第２表示部１７、１８にホールドして表示される。「ＣｙP」では、ＯＮ/ＯＦＦ１サイクルの時間幅の最大値、最小値が第１、第２表示部１７、１８にホールドして表示される。「Ｓｔｄ」以外の時間幅表示に関し、第１、第２表示部１７、１８に表示されている時間幅をリセットしたいという要望に応じるには、運用モードで時間幅表示を行っている最中に、所定のキー操作や外部入力により、これまでのホールド値をリセットできるようにするのが好ましい。
【００９１】
運用モードの第８画面「動作モード」×「現在値」を表示しているときに、上下スイッチ２１のダウン側を３秒以上長押しすると、動作モード機能に関する設定モードに入り、この設定モードで所望の動作モード機能を設定し終わったらＭキースイッチ２０を短押しすることで、順次、「パワーズーム」、「アッテネート」機能に関する設定に移行し、再度、Ｍキースイッチ２０を押すことにより運用モードの表示に戻ることができる。すなわち、運用モードの「動作モード」×「現在値」の表示中に、上下スイッチ２１のダウン側を長押しすると、動作モード機能の設定モードに表示が切り替わり、Ｍキースイッチ２０を押すと、「パワーズーム」設定、「アッテネート」設定に関する表示に切り替わり、更にＭキースイッチ２０を押すと運用モードの表示に戻るようになっている。
【００９２】
「動作モード」は前述した「ファインモード」、「ターボモード」、「スーパーターボモード」などに関するものであり、現在値表示は、選択された動作モードで通常の受光量の表示を意味する。「パワーズーム」は、現在値を拡大、縮小させる機能である。このパワーズーム機能は、同じワークであっても光電スイッチの個体差によって受光量に偏差がある場合に、この個体差を吸収して受光量を一致させることができる。動作モード機能に関する表示では、第１表示部１７に「拡大/縮小率」がパーセント表示され（例えば「ｘｘｘＰ」と表示：ｘは数字）、第２表示部１８に拡大/縮小された現在値が表示される。第１表示部１７の「拡大/縮小率」のパーセント表示値は上下スイッチ２１を操作することにより増大又は減少させることができ、この数値に応じて第２表示部１８の拡大/縮小された現在値が変化する。「アッテネート」は受光アンプのゲインを下げる機能である。「アッテネート」では、第１表示部１７にアッテネートを意味する「Ａｔｔ」の文字が表示され、第２表示部には上下スイッチ２１を操作することにより「ｏｎ」又は「ｏＦＦ」を選択することができる。「ｏＦＦ」を設定すると通常のゲインが設定され、「ｏｎ」を設定すると低いゲインになる。
【００９３】
以上、本発明の好ましい実施例を説明したが、上述したように、高機能化した光電スイッチでは設定項目も増大する傾向にあり、数多くの設定項目を限られた大きさの表示部に表示することから、ユーザには何回も表示を切り替える操作を強要することになるが、数多くの設定項目を階層化して２次元化による整理を行った場合に、ユーザは、設定作業中に、今どの階層レベルに居るのかが分からなくなってしまう可能性があり、これを改善するのに、例えば、階層レベルを示す情報を表示することが考えられるが、光電スイッチのように限られた大きさの表示部では、これを表示することは難しい。したがって、設定項目の数が多くなればなる程、設定作業中にユーザが迷路に入り込んでしまい、今現在、どのグループの第何レベルに居るのかが分からなくなってしまう可能性が大きくなる。これに対して、実施例では、設定項目を階層化しないで１次元的に、つまり一本道で設定項目を遷移させるようにしてあるため、脇道に逸れて迷ってしまう虞が無くなる。また、２次元的に遷移させる構造を採用すると共に、４〜５という限られた数の設定項目を目安としてグループ化し、各グループ（ステージ）の境目でステージ選択メニュー画面を用意してあるため、ユーザは頭をリセットする機会を得ることができる。したがって、設定項目が数多く存在しても心理的に煩雑さを感じないで設定作業を進めさせることができる。また、ステージ選択画面を使ってスキップすることができるため、設定作業に伴うキー操作の回数を少なくすることができる。
【００９４】
また、運用モードで表示可能な画面は、設定モードにおける第３ステージの表示カスタマイズSTG3-3で選択できるためユーザが必要とする画面だけ運用モードで表示させることができる。
【００９５】
また、設定モードの第４ステージのキーロックレベルSTG4-2でキーロックレベルを幾つかの段階に分けて設定することができるため、作業者が誤って操作して設定を変えてしまい、管理者の意図とは異なる光電スイッチ１００の動作を防止することができる。
【００９６】
以上、光ファイバ１４、１５を備えた反射型の光電スイッチ１００を例示して本発明を説明したが、本発明は、特にこの形式の光電スイッチに限定されるものではない。例えば、図４５〜図４８の形式の光電スイッチにも適用可能である。図４５〜図４８に図示の光電スイッチにおいて、前述した光電スイッチ１００に含まれる要素と同様の要素には同じ参照符号を付してある。
【００９７】
図４５に図示の光電スイッチ２００は、ケーシング１１の一端面に発光素子１２と受光素子１３（図４６）を設け（図４５には、作図の関係上、図面に現れていない）、この発光素子１２から発せられた光を検出物Ｔに当て、反射した光を受光素子１３で直接的に受ける形式の光電スイッチ２００を示すものである。この光電スイッチ２００は、発光素子１２として半導体レーザ発光素子が採用されている。
【００９８】
この光電スイッチ２００のケーシング１１の上面１１ａには、第１表示部１７と第２表示部１８とが上下に隣接して配置されている。また、このケーシング１１の上面１１ａには、バーＬＥＤ表示部４０と、発光インジケータ４１と、第１、第２の２つのホールドモードインジケータ４２、４３とが設けられている。また、第１実施例に含まれる上述のスイング式しきい値調整スイッチ２１は、アップキースイッチ４４とダウンキースイッチ４５との２つの独立したキースイッチで構成されている。
【００９９】
発光インジケータ４１は、発光素子１２から光が発せられているときに点灯され、発光素子１２の発光が停止されているときに消灯される。第１のホールドモードインジケータ４２は、受光素子１３が受け取った受光量の最大値を保持する第１保持モードが選択されたときに点灯される。第２のホールドモードインジケータ４３は、受光素子１３が受け取った受光量の最小値を保持する第２保持モードが選択されたときに点灯される。
【０１００】
図４６は、図４５のレーザ式光電スイッチ２００のブロック図である。この第２実施例の光電スイッチ２００は、電源回路４６及び可変電源回路４７を備えている。
【０１０１】
図４７は、他の光電スイッチ３００を示す。この光電スイッチ３００は、発光素子と受光素子を備えたヘッドユニット５１と、アンプやＣＰＵなどを内蔵した本体ユニット５２とを含み、これらはケーブル５３によって接続されている。この反射型且つ別体型の光電スイッチ３００にあっては、本体ユニット５２に上述した第１、第２の表示部１７、１８や操作部３６が設けられている。
【０１０２】
図４８は、図４７の光電スイッチの変形例であり、ヘッドユニット５１にも第１、第２の表示部１７、１８を設けた例を示すものであるが、ヘッドユニット５１にも、任意であるが、操作部３６を付加的に設けてもよい。
【０１０３】
以上、本発明を反射型光電スイッチを例に説明したが、発光部と受光部とが分離され、検出物を通過した光を発光部で受光する透過型の光電スイッチに対しても適用可能であることは言うまでもない。この透過型光電スイッチにあっても、受光部ユニット及び発光部ユニットのいずれか一方に第１、第２の表示部１７、１８又は一つの表示部６０を設けてもよく、受光部ユニット及び発光部ユニットの両者に、第１、第２の表示部１７、１８又は一つの表示部６０を設けてもよい。また、各種スイッチからなる操作部３６は、受光部ユニット及び／又は発光部ユニットに設ければよい。
【図面の簡単な説明】
【０１０４】
【図１】本発明を適用可能な光電スイッチの斜視図である。
【図２】図１の光電スイッチの平面図である。
【図３】図１の光電スイッチのブロック図である。
【図４】図１の光電スイッチの運用モードでの表示の変遷を説明するための図である。
【図５】４つの７セグメントを使って余裕度をバー表示する一例を説明するための図である。
【図６】各種の設定項目をグループ分けして各ステージ毎の最後にステージ選択メニュー画面を表示する全体的な表示の遷移を説明するための図である。
【図７】図６に続いて表示される拡張設定に関する表示の遷移を示す図である。
【図８】図７に続く表示の遷移を示す図である。
【図９】第１ステージの先頭に表示してもよいステージ選択メニュー画面での表示の遷移を説明するための図である。
【図１０】動作モードの設定に関する表示の遷移を説明するための図である。
【図１１】ティーチング設定に関する表示の遷移を説明するための図である。
【図１２】余裕度設定に関する表示例を説明するための図である。
【図１３】第１ステージで最後に表示されるステージ選択メニュー画面での表示の遷移を説明するための図である。
【図１４】設定項目の一つである自動感度補正に関する表示の遷移を説明するための図である。
【図１５】図１４の自動感度補正の設定に関する表示の一部を構成するレベル設定の表示の遷移を説明するための図である。
【図１６】設定項目の一つであるエリア設定に関する表示の遷移を説明するための図である。
【図１７】設定項目の一つであるタイマ設定に関する表示の遷移を説明するための図である。
【図１８】タイマ設定に関連した表示が行われているときにキー操作によって表示されるタイマ時間設定画面の表示例を示す図である。
【図１９】ディレー時間の設定に関する表示の遷移を説明するための図である。
【図２０】受光量を一定に維持するＡＰＣ機能に関する設定での表示の遷移を説明するための図である。
【図２１】第２ステージの最後に表示されるステージ選択メニュー画面での表示の遷移を説明するための図である。
【図２２】第３ステージで最初に表示される表示シフトに関する設定画面の表示例を示す図である。
【図２３】表示反転の設定に関する表示の遷移を説明するための図である。
【図２４】表示態様のカスタマイズに関する表示の遷移を説明するための図である。
【図２５】表示態様の基本形であるスタンダードを選択するか否かを設定するための表示例を説明するための図である。
【図２６】表示態様のカスタマイズに関する拡張設定の表示例を説明するための図である。
【図２７】余裕度の表示に関するカスタマイズ設定の表示例を説明するための図である。
【図２８】余裕度のバー表示に関する設定の表示例を説明するための図である。
【図２９】スケーリングに関する設定の表示例を説明するための図である。
【図３０】ホールド値の表示のカスタマイズに関する設定の表示例を説明するための図である。
【図３１】余裕度のホールド値の表示に関する設定の表示例を説明するための図である。
【図３２】時間幅設定に関する表示例を説明するための図である。
【図３３】運用モードで動作モードの表示を行うか否かの設定を行うための表示例を説明するための図である。
【図３４】第３ステージでの最後に表示されるステージ選択メニュー画面での表示の変遷を説明するための図である。
【図３５】パワーセーブ設定画面での表示の変遷を説明するための図である。
【図３６】キーロックレベル設定画面での表示の変遷を説明するための図である。
【図３７】保存設定に関する表示の変遷を説明するための図である。
【図３８】干渉防止台数を設定するための表示例を説明するための図である。
【図３９】運用モードから設定モードに移る途中で表示するのが好ましい設定モードでの第１、第２の表示態様を選択する工程を説明するための図である。
【図４０】表示する数値のスケーリングの値を設定するための表示例を説明するための図である。
【図４１】運用モードでホールド値を表示しているときにキー操作によりホールド値の設定モードに移ることができ、また、この設定モードから運用モードに戻ることができることを説明するための図である。
【図４２】運用モードからホールド値に関する設定モードに移ったときの表示の変遷を説明するための図である。
【図４３】運用モードで時間幅を表示しているときにキー操作により時間幅の設定モードに移ることができ、また、この設定モードから運用モードに戻ることができることを説明するための図である。
【図４４】運用モードから時間幅に関する設定モードに移ったときの表示の変遷を説明するための図である。
【図４５】本発明が適用可能な光電スイッチの他の例を示す図である。
【図４６】図４５に図示の光電スイッチのブロック図である。
【図４７】本発明が適用可能な光電スイッチの更に他の例を示す図である。
【図４８】本発明が適用可能な光電スイッチの別の例を示す図である。
【符号の説明】
【０１０５】
１００    光電スイッチ
１１    光電スイッチのケーシング
１７    第１表示部
１８    第２表示部
２０    モードボタン（Ｍキースイッチ）
２１    スイング式のしきい値調整（上下）スイッチ２１
２２    スライド式のパワーセレクタスイッチ
２３    セットキースイッチ
【図１】
2006352558.tif 000003
【図２】
2006352558.tif 000004
【図３】
2006352558.tif 000005
【図４】
2006352558.tif 000006
【図５】
2006352558.tif 000007
【図６】
2006352558.tif 000008
【図７】
2006352558.tif 000009
【図８】
2006352558.tif 000010
【図９】
2006352558.tif 000011
【図１０】
2006352558.tif 000012
【図１１】
2006352558.tif 000013
【図１２】
2006352558.tif 000014
【図１３】
2006352558.tif 000015
【図１４】
2006352558.tif 000016
【図１５】
2006352558.tif 000017
【図１６】
2006352558.tif 000018
【図１７】
2006352558.tif 000019
【図１８】
2006352558.tif 000020
【図１９】
2006352558.tif 000021
【図２０】
2006352558.tif 000022
【図２１】
2006352558.tif 000023
【図２２】
2006352558.tif 000024
【図２３】
2006352558.tif 000025
【図２４】
2006352558.tif 000026
【図２５】
2006352558.tif 000027
【図２６】
2006352558.tif 000028
【図２７】
2006352558.tif 000029
【図２８】
2006352558.tif 000030
【図２９】
2006352558.tif 000031
【図３０】
2006352558.tif 000032
【図３１】
2006352558.tif 000033
【図３２】
2006352558.tif 000034
【図３３】
2006352558.tif 000035
【図３４】
2006352558.tif 000036
【図３５】
2006352558.tif 000037
【図３６】
2006352558.tif 000038
【図３７】
2006352558.tif 000039
【図３８】
2006352558.tif 000040
【図３９】
2006352558.tif 000041
【図４０】
2006352558.tif 000042
【図４１】
2006352558.tif 000043
【図４２】
2006352558.tif 000044
【図４３】
2006352558.tif 000045
【図４４】
2006352558.tif 000046
【図４５】
2006352558.tif 000047
【図４６】
2006352558.tif 000048
【図４７】
2006352558.tif 000049
【図４８】
2006352558.tif 000050